(57)【要約】【課題】  発呼者の意図を通知メッセージによって被呼者に伝えることができ、被呼者は応答前に発呼者の意図を知ることができるようにする。【解決手段】  特定番号により、ダイヤル音の送信または暗号付加番号と通知メッセージの登録誘導を行い、発呼者Ａに暗号付加番号と通知メッセージの登録誘導を行った場合、電話接続に際して、発呼者Ａが、被呼者番号に加えてダイヤルする暗号付加番号と該番号に対応する発呼者Ａの希望する通知メッセージを入力して、暗号付加番号・通知メッセージ記憶部２４に登録する。発呼者Ａにダイヤル音を送信した場合、発呼者Ａが被呼者番号に加えて、発呼者Ａまたは被呼者Ｂが予め登録した暗号付加番号をダイヤルすると、通知メッセージ送信および通話路接続制御装置３は発呼者Ａを被呼者Ｂに接続し、被呼者Ｂが応答する前に、被呼者Ｂに発呼者Ａがダイヤルした暗号付加番号に対応する登録メッセージを通知する。【選択図】      図１
2005244418.tif 000002
【特許請求の範囲】
【請求項１】
発呼者が被呼者番号に続いて暗号付加番号をダイヤルすることにより、前記被呼者の応答前に登録メッセージを通知する、暗号付加番号式メッセージ通知方法であって、
発呼者による特定番号のダイヤルにより、前記発呼者と接続するステップと、
該接続が確立すると、前記発呼者のダイヤルした前記特定番号により、ダイヤル音の送信または前記暗号付加番号と通知メッセージの登録誘導を行うステップと、
前記発呼者に前記暗号付加番号と通知メッセージの登録誘導を行った場合、電話接続に際して、前記発呼者が、前記被呼者番号に加えてダイヤルする前記暗号付加番号と、該番号に対応する前記発呼者の希望する通知メッセージを入力して、登録するステップと、
前記発呼者に前記ダイヤル音を送信した場合に、前記発呼者が、前記被呼者番号に加えて、前記発呼者または前記被呼者が予め登録した前記暗号付加番号をダイヤルすると、前記発呼者を前記被呼者に接続し、前記被呼者が応答する前に、前記被呼者に前記発呼者がダイヤルした前記暗号付加番号に対応する前記登録メッセージを通知するステップと
と有するメッセージ通知方法。
【請求項２】
前記発呼者への前記暗号付加番号と通知メッセージの登録誘導を行うステップは、音声ガイダンスにより行うことを含む、請求項１に記載のメッセージ通知方法。
【請求項３】
前記発呼者への前記暗号付加番号と通知メッセージの登録誘導を行うステップは、登録フィールドの表示により行うことを含む、請求項１に記載のメッセージ通知方法。
【請求項４】
前記暗号付加番号および該番号に対応する前記通知メッセージには、該メッセージの登録者の希望する任意の英数字を含む、請求項１に記載のメッセージ通知方法。
【請求項５】
前記被呼者がダイヤルして、暗号付加番号と該番号に対応する通知メッセージをも登録し、前記電話接続に際し、前記発呼者がダイヤルした前記発呼者および前記被呼者双方の登録する前記暗号付加番号に対応する前記登録メッセージを前記被呼者へ通知する、請求項１に記載のメッセージ通知方法。
【請求項６】
前記被呼者がダイヤルして、暗号付加番号と該番号に対応する通知メッセージをも登録し、前記電話接続に際し、前記発呼者がダイヤルした前記発呼者および前記被呼者双方の登録する前記暗号付加番号のうち、前記発呼者が登録した前記暗号付加番号に対応する前記通知メッセージのみを選択して前記被呼者に通知する、請求項１に記載のメッセージ通知方法。
【請求項７】
前記被呼者がダイヤルして、暗号付加番号と該番号に対応する通知メッセージをも登録し、前記電話接続に際し、前記発呼者がダイヤルした前記発呼者および前記被呼者双方の登録する前記暗号付加番号のうち、前記被呼者が登録した前記暗号付加番号に対応する前記通知メッセージのみを選択して前記被呼者に通知する、請求項１に記載のメッセージ通知方法。
【請求項８】
発呼者からの着信を検出する着信検出手段と、
暗号付加番号・通知メッセージ記憶手段と、
前記着信が暗号付加番号と通知メッセージ登録の場合、前記着信検出手段によって指示され、前記発呼者に前記暗号付加番号と通知メッセージの登録誘導を行う暗号付加番号・通知メッセージ登録誘導手段と、
前記発呼者が、被呼者番号に加えてダイヤルする暗号付加番号と、該番号に対応する、該発呼者が希望する通信メッセージを入力して、前記暗号付加番号・通知メッセージ記憶手段に登録する暗号付加番号・通知メッセージ入力手段と、
前記着信が電話接続の場合、前記着信検出手段によって指示され、前記発呼者にダイヤル音を送信するダイヤル音送信手段と、
前記発呼者がダイヤルした被呼者番号と暗号付加番号を受信し、該暗号付加番号に対応する通知メッセージを、前記暗号付加番号・通知メッセージ記憶手段にアクセスして得、前記被呼者番号と前記通知メッセージを出力する被呼者番号・暗号付加番号受信手段と、
前記発呼者と通知メッセージ送信および通話路接続制御装置を接続また遮断する中継路スイッチと、
前記被呼者番号・暗号付加番号受信手段から出力された被呼者番号と通知メッセージを通知メッセージ送信および通話路接続制御装置に送信し、また前記中継路スイッチを閉じる被呼者番号・通知メッセージ送信および中継路制御手段と、
を有する暗号付加番号・通知メッセージ登録および呼中継装置。
【請求項９】
通話路スイッチ群と、
前記通話路スイッチ群を制御する通話路制御手段と、
請求項１記載の暗号付加番号・通知メッセージ登録および呼中継装置から受信した、前記発呼者がダイヤルした被呼者番号に対応する通話路スイッチを閉じて被呼者を呼び出し、前記暗号付加番号・通知メッセージ登録および呼中継装置から受信した、前記暗号付加番号に対応する通知メッセージを前記被呼者の応答前に前記被呼者に送信する被呼者番号・通知メッセージ受信および通知メッセージ送信手段と
を有する通知メッセージ送信および通話路接続制御装置。
【発明の詳細な説明】
【技術分野】
【０００１】
本発明はメッセージ通知システムに関する。
【背景技術】
【０００２】
従来、発呼者番号表示あるいはページャ（ポケットベル）などでは、発呼者の番号あるいは発呼者が入力した番号がそのまま被呼者に通知されるだけであり、発呼者の意図が被呼者に伝わりにくい、間違いであっても被呼者に通知される、通知が発呼者の意志のみに支配される、などの問題があった。
【特許文献１】特開平１１―０６９４３６
【発明の開示】
【発明が解決しようとする課題】
【０００３】
本発明の目的は、発呼者の意志を通知メッセージによって被呼者に伝えることができ、被呼者は応答前に発呼者の意志を知ることができる暗号付加番号式メッセージ通知方法を提供することにある。
【０００４】
本発明の他の目的は、該通知方法を実現するための暗号付加番号・通知メッセージ登録および呼中継装置、および通知メッセージ送信および通話路接続制御装置を提供することにある。
【課題を解決するための手段】
【０００５】
本発明の第１の態様によれば、被呼者番号に続いて暗号付加番号をダイヤルすることにより、前記被呼者の応答前に登録メッセージを通知する暗号付加番号式メッセージ通知方法であって、
発呼者による特定番号のダイヤルにより、前記発呼者と接続するステップと、
該接続が確立すると、前記発呼者のダイヤルした前記特定番号により、ダイヤル音の送信または前記暗号付加番号と通知メッセージの登録誘導を行うステップと、
前記発呼者に前記暗号付加番号と通知メッセージの登録誘導を行った場合、電話接続に際して、前記発呼者が、前記被呼者番号に加えてダイヤルする前記暗号付加番号と、該番号に対応する前記発呼者の希望する通知メッセージを入力して、登録するステップと、
前記発呼者に前記ダイヤル音を送信した場合に、前記発呼者が、前記被呼者番号に加えて、前記発呼者または前記被呼者が予め登録した前記暗号付加番号をダイヤルすると、前記発呼者を前記被呼者に接続し、前記被呼者が応答する前に、前記被呼者に前記発呼者がダイヤルした前記暗号付加番号に対応する前記登録メッセージを通知するステップを有する。
【０００６】
本発明の他の態様によれば、暗号付加番号・通知メッセージ登録および呼中継装置は、
発呼者からの着信を検出する着信検出手段と、
暗号付加番号・通知メッセージ記憶手段と、
前記着信が暗号付加番号と通知メッセージ登録の場合、前記着信検出手段によって指示され、前記発呼者に前記暗号付加番号と通知メッセージの登録誘導を行う暗号付加番号・通知メッセージ登録誘導手段と、
前記発呼者が、被呼者番号に加えてダイヤルする暗号付加番号と、該番号に対応する、該発呼者が希望する通信メッセージを入力して、前記暗号付加番号・通知メッセージ記憶手段に登録する暗号付加番号・通知メッセージ入力手段と、
前記着信が電話接続の場合、前記着信検出手段によって指示され、前記発呼者にダイヤル音を送信するダイヤル音送信手段と、
前記発呼者がダイヤルした被呼者番号と暗号付加番号を受信し、該暗号付加番号に対応する通知メッセージを、前記暗号付加番号・通知メッセージ記憶手段にアクセスして得、前記被呼者番号と前記通知メッセージを出力する被呼者番号・暗号付加番号受信手段と、
前記発呼者と通知メッセージ送信および通話路接続制御装置を接続また遮断する中継路スイッチと、
前記被呼者番号・暗号付加番号受信手段から出力された被呼者番号と通知メッセージを前記通知メッセージ送信および通話路接続制御装置に送信し、また前記中継路スイッチを閉じる被呼者番号・通知メッセージ送信および中継路制御手段を有する。
【０００７】
本発明のさらに他の態様によれば、通知メッセージ送信および通話路制御装置は、
通話路スイッチ群と、
前記通話路スイッチ群を制御する通話路制御手段と、
暗号付加番号・通知メッセージ登録および呼中継装置から受信した、前記発呼者のダイヤルした被呼者番号に対応する通話路スイッチを閉じて被呼者を呼び出し、前記暗号付加番号・通知メッセージ登録および呼中継装置から受信した、前記暗号付加番号に対応する通知メッセージを前記被呼者の応答前に前記被呼者に送信する被呼者番号・通知メッセージ受信および通知メッセージ送信手段とを有する。
【０００８】
本発明は、被呼者番号に続いてダイヤルする暗号付加番号とそれに対応する通知メッセージを予め登録し、電話接続に際し、発呼者が、被呼者番号に加えて発呼者および／または被呼者が予め登録した暗号付加番号をダイヤルすることにより、該暗号付加番号に対応する登録メッセージを被呼者の応答前に被呼者に通知するものである。
【発明の効果】
【０００９】
本発明は次のような効果がある。
【００１０】
１）発呼者の意志を通知メッセージによって被呼者に伝えることができる。
【００１１】
２）被呼者は応答前に発呼者の意志を知ることができる。
【００１２】
３）被呼者が予め暗号付加番号登録を行い、この番号を発呼者に伝えておけば、発呼者が自分の番号を知る相手か否かが電話への応答前にわかる。
【００１３】
４）暗号付加番号を使用するので、通話の都度にメッセージ文の入力が不要である。
【００１４】
５）本発明による暗号付加番号式メッセージ通知方法の導入により、メッセージ通知サービスの提供によるサービス料が見込め、本発明によるメッセージ通知サービスが普及すれば、利用者が増え、電話通話料金の増収も期待できる。
【発明を実施するための最良の形態】
【００１５】
次に、本発明の実施の形態について図面を参照して説明する。
【００１６】
図１は本発明の一実施形態の暗号付加番号式メッセージ通知システムの構成図である。
【００１７】
本暗号付加番号式メッセージ通知システムは、電話網１と、暗号付加番号・通知メッセージ登録および呼中継装置２と、通知メッセージ送信および通話路接続制御装置３と、発呼者装置４と、被呼者装置５を有している。
【００１８】
暗号付加番号・通知メッセージ登録および呼中継装置２は着信検出部２１と、暗号付加番号・通知メッセージ登録フィールド表示部２２と、暗号付加番号・通知メッセージ入力部２３と、暗号付加番号・通知メッセージ記憶部２４と、ダイヤル音送信部２５と、被呼者番号・暗号付加番号受信部２６と、被呼者番号・通知メッセージ送信および中継路制御部２７と、中継路スイッチ２８を有している。
【００１９】
着信検出部２１は発呼者Ａの特定番号のダイヤルによる着信または電話接続を検出する。暗号付加番号・通知メッセージ登録フィールド表示部２２は着信が暗号付加番号と通知メッセージ登録の場合、着信検出部２１の指示により、発呼者Ａの希望する暗号付加番号とその番号に対応する通知メッセージを暗号付加番号・通知メッセージ入力部２３を介し発呼者装置４から受信し、暗号付加番号・通知メッセージ記憶部２４に記憶する。ダイヤル音送信部２５は音信が電話接続の場合、着信検出の指示により、発呼者装置４にダイヤル音を送信する。被呼者番号・暗号付加番号受信部２６は発呼者Ａのダイヤルした被呼者番号と暗号付加番号を受信し、暗号付加番号・通知メッセージ記憶部２４にアクセスして、受信した暗号付加番号に対応する通知メッセージを得、該暗号付加番号と通知メッセージを被呼者番号・通知メッセージ送信および中継路制御部２７に送信する。被呼者番号・通知メッセージ送信および中継路制御部２７は通知メッセージ送信および通話路接続制御装置３の発呼者番号・通話メッセージ受信および通知メッセージ送信部３１に、発呼者Ａのダイヤルした被呼者番号と暗号付加番号に対応する通知メッセージを送信するとともに、中継路スイッチ２８を閉じる。
【００２０】
通知メッセージ送信および通話路接続制御装置３は、被呼者番号・通知メッセージ受信および通知メッセージ送信部３１と、通話路制御部３２と、通話路スイッチ３３を有する。
【００２１】
被呼者番号・通知メッセージ受信および通知メッセージ送信部３１は、通話路制御部３２に指示し、暗号付加番号・通知メッセージ登録および呼中継装置２の被呼者番号・通知メッセージ送信および中継路制御部２７から受信した、発呼者Ａのダイヤルした被呼者番号に対応する通話路スイッチ３３を閉じて被呼者Ｂを呼び出し、同じく被呼者番号・通知メッセージ送信および中継路制御部２７から受信した、暗号付加番号に対応する通知メッセージを被呼者Ｂの応答前に被呼者装置５に送信する。
【００２２】
表１は本実施形態の暗号付加番号式メッセージ通知システムにおいて、発呼者Ａが登録する暗号付加番号と、それに対応する通知メッセージの例を示している。
【００２３】
表１で、暗号付加番号および通知メッセージに任意の英数字を使用することができることがわかる。
【００２４】
【表１】
2005244418.tif 000003
【００２５】
次に、本実施形態の暗号付加番号式メッセージ通知システムの動作を図２により説明する。
【００２６】
１）暗号付加番号・通知メッセージ登録および呼中継装置２において、
着信検出部２１は発呼者Ａの特定番号のダイヤルによる着信を検出する（ステップ１０１）。着信が暗号付加番号と通知メッセージ登録の場合、着信検出部２１は暗号付加番号・通知メッセージ登録フィールド表示部２２に指示し、暗号付加番号・通知メッセージ入力部２３を介して、発呼者Ａの希望する暗号付加番号とその番号に対応する通知メッセージを受信し、暗号付加番号・通知メッセージ記憶部２４に記憶する（ステップ１０２）。着信が電話接続の場合、着信検出部２１はダイヤル音送信部２５に指示し、発呼者Ａにダイヤル音を送信し、被呼者番号・暗号付加番号受信部２６を介して発呼者Ａのダイヤルする被呼者番号と暗号付加番号を受信し、受信した被呼者番号と、暗号付加番号・通知メッセージ記憶部２４にアクセスして得た、受信した暗号付加番号に対応する通知メッセージとを被呼者番号・通知メッセージ送信および中継路制御部２７に送信する（ステップ１０３）。被呼者番号・通知メッセージ送信および中継路制御部２７は、通知メッセージ送信および通話路接続制御装置３の被呼者番号・通知メッセージ受信および通知メッセージ送信部３１に、発呼者Ａがダイヤルした被呼者番号と暗号付加番号に対応する通知メッセージを送信し、中継路スイッチ２８に指示して、スイッチを閉じて発呼者装置４と通知メッセージ送信および通話路接続制御装置３とを接続する（ステップ１０４）。
【００２７】
２）通知メッセージ送信および通話路接続制御装置３において、
被呼者番号・通知メッセージ受信および通知メッセージ送信部３１は、通話路制御部３２に指示し、暗号付加番号・通知メッセージ登録および呼中継装置２の被呼者番号・通知メッセージ送信および中継路制御部２７から受信した、発呼者Ａがダイヤルした被呼者番号に対応する通話路スイッチ３３を閉じて被呼者Ｂを呼び出し、同じく被呼者番号・通知メッセージ送信および中継路制御部２７から受信した、暗号付加番号に対応する通知メッセージを被呼者Ｂの応答前に被呼者装置５に送信する（ステップ１０５）。
【００２８】
本発明によれば、次のような変形例が可能である。発呼者への暗号付加番号と通知メッセージの登録誘導を音声ガイダンスにより行う。
【００２９】
発呼者および被呼者が、共に暗号付加番号と該番号に対応する通知メッセージを登録し、電話接続に際し、発呼者が発呼者および被呼者双方の登録する暗号付加番号をダイヤルし、両方の前記番号に対応する登録メッセージを被呼者へ通知する。
【００３０】
発呼者および被呼者が、共に暗号付加番号と該番号に対応する通知メッセージを登録し、電話接続に際し、発呼者が発呼者および被呼者双方の登録する暗号付加番号をダイヤルする場合、発呼者の登録した暗号付加番号に対応する通知メッセージのみを選択して被呼者に通知する。
【００３１】
発呼者および被呼者が、共に暗号付加番号と該番号に対応する通知メッセージを登録し、電話接続に際し、発呼者が発呼者および被呼者双方の登録する暗号付加番号をダイヤルする場合、被呼者の登録した暗号付加番号に対応する通知メッセージのみを選択して被呼者に通知する。
【図面の簡単な説明】
【００３２】
【図１】本発明の一実施形態の暗号付加番号式メッセージ通知システムの構成を示す図である。
【図２】本実施形態の暗号付加番号式メッセージ通知システムの動作を説明するフローチャートである。
【符号の説明】
【００３３】
１    電話網
２    暗号付加番号・通知メッセージ登録および呼中継装置
３    通知メッセージ送信および通話路接続制御装置
４    発呼者装置
５    被呼者装置
２１    着信検出部
２２    暗号付加番号・通知メッセージ登録フィールド表示部
２３    暗号付加番号・通知メッセージ入力部
２４    暗号付加番号・通知メッセージ記憶部
２５    ダイヤル音送信部
２６    被呼者番号・暗号付加番号受信部
２７    被呼者番号・通知メッセージ送信および中継路制御部
２８    中継路スイッチ
３１    被呼者番号・通知メッセージ受信および通知メッセージ送信部
３２    通話路制御部
３３    通話路スイッチ
１０１〜１０５  ステップ
Ａ    発呼者
Ｂ    被呼者
【図１】
2005244418.tif 000004
【図２】
2005244418.tif 000005